(57)【要約】【課題】光トラフィックを伝送する従来のシステムと方法に関連する短所と問題の少なくとも一部を解消または削減する、光リング間でトラフィックを伝送するシステムと方法を提供する。【解決手段】光ネットワークは第１の光リングと第２の光リングを有する。各光リングは、複数のサブバンドを有する光トラフィックを伝送するように動作する。前記第１の光リングは第１の相互接続ノードを有し、前記第１の相互接続ノードは前記第１の光リングの第１のサブバンドからトラフィックをフィルターし、前記第２の光リングに伝送するように動作する。前記第２の光リングは第２の相互接続ノードを有し、前記第２の相互接続ノードは前記第１のサブバンドからフィルターされた前記トラフィックを前記第１の相互接続ノードから受信し、前記第２の光リング内で伝送するように動作する。【選択図】  図１  
2005253084.tif 000002
【特許請求の範囲】
【請求項１】
光ネットワークであって、
複数のサブバンドを有する光トラフィックを伝送するようにそれぞれ動作する第１の光リングと第２の光リングとを有し、
前記第１の光リングは第１の相互接続ノードを有し、前記第１の相互接続ノードは前記第１の光リングの第１のサブバンドからトラフィックをフィルターし、前記第２の光リングに伝送するように動作し、
前記第２の光リングは第２の相互接続ノードを有し、前記第２の相互接続ノードは前記第１のサブバンドからフィルターされた前記トラフィックを前記第１の相互接続ノードから受信し、前記第２の光リング内で伝送するように動作することを特徴とする光ネットワーク。
【請求項２】
光ネットワークであって、
複数のサブバンドを有する光トラフィックを伝送するようにそれぞれ動作する第１の光リングと第２の光リングとを有し、
前記第１の光リングは、第１のサブバンド中のトラフィックを前記第１の光リングから前記第２の光リングに選択的にスイッチするように動作する第１の相互接続ノードを有し、
前記第２の光リングは、前記第１のサブバンド中のスイッチされた前記トラフィックを前記第１の光リングから受信し、前記第２の光リングで伝送するように動作する第２の相互接続ノードを有することを特徴とする光ネットワーク。
【請求項３】
光リング間でトラフィックを伝送する方法であって、
複数のサブバンドを有する光トラフィックを第１の光リングを介して伝送するステップと、
第２の光リングに伝送するために、前記第１の光リングの第１の相互接続において、第１のサブバンド中のトラフィックを前記第１の光リングからフィルターするステップと、
前記第１の相互接続ノードから前記第１のサブバンド中のフィルターされた前記トラフィックを、前記第２の光リングの第２の相互接続ノードで受信し、前記第２の光リングで伝送するステップとを有することを特徴とする方法。
【請求項４】
光リング間でトラフィックを伝送する方法であって、
複数のサブバンドを有する光トラフィックを第１の光リングを介して伝送するステップと、
前記第１の光リングの第１の相互接続ノードで前記第１の光リングからの第１のサブバンド中のトラフィックを、第２の光リングに伝送するために選択的にスイッチするステップと、
前記第２の光リングに伝送するために前記第２の光リングの第２の相互接続ノードで前記第１の相互接続ノードからの前記第１のサブバンド中のスイッチされた前記トラフィックを受信するステップとを有することを特徴とする方法。
【請求項５】
光ネットワークであって、
第１の光リング、第２の光リング、第３の光リングを有し、各光リングは複数のサブバンドを有する光トラフィックを伝送するように動作可能であり、
前記第１の光リングは
前記第１の光リングからの第１のサブバンド中のトラフィックをフィルターして前記第２の光リングに伝送するように動作可能な第１のサブバンド相互接続ノードと、
前記第１の光リングからの前記第１のサブバンド中のトラフィックをフィルターして前記第３の光リングに伝送するように動作可能な第２のサブバンド相互接続ノードとを有し、
前記第２の光リングは第３のサブバンド相互接続ノードとを有し、前記第３のサブバンド相互接続ノードは前記第１のサブバンド相互接続ノードからの前記第１のサブバンド中のフィルターされたトラフィックを受信して前記第２の光リングに伝送するように動作可能であり、
前記第３の光リングは第４のサブバンド相互接続ノードとを有し、前記第４のサブバンド相互接続ノードは前記第２のサブバンド相互接続ノードからの前記第１のサブバンド中のフィルターされたトラフィックを受信して前記第３の光リングに伝送するように動作可能であり、
前記第１のサブバンド相互接続ノードはフィルターされた前記トラフィックを電気的に変換または増幅することなく前記第３の相互接続ノードに前記第１のサブバンド中のフィルターされた前記トラフィックを伝送するように動作可能であり、
前記第２のサブバンド相互接続ノードはフィルターされた前記トラフィックを電気的に変換または増幅することなく前記第４の相互接続ノードに前記第１のサブバンド中のフィルターされた前記トラフィックを伝送するように動作可能であることを特徴とする光ネットワーク。
【発明の詳細な説明】
【技術分野】
【０００１】
本発明は光通信の技術分野に関し、特に光リング間でトラフィックを伝送するシステムと方法に関する。
【背景技術】
【０００２】
通信システム、ケーブルテレビジョンシステム、データ通信システムには、離れた地点間で大量の情報を高速に伝送できる光ネットワークが用いられる。光ネットワークでは情報は光信号の形式で光ファイバーを通して伝送される。光ファイバーはガラスの細い糸でできており、信号を非常に少ない損失で長い距離を送信することができる。
【０００３】
光ネットワークでは、波長分割多重（WDM）または高密度波長分割多重（DWDM）が用いられ送信容量を大きくすることが多い。WDMやDWDMネットワークにおいては、波長が異なる多数の光チャンネルが各ファイバー中を搬送される。ネットワークの容量は、各ファイバーと帯域幅中の波長やチャンネルの数、あるいはチャンネルの大きさにより決まる。光ネットワークを使用する上で、WDMネットワークおよびDWDMネットワークが構成されているトポロジーが重要な役割を果たす。今日のネットワークにおいては、リングトポロジーがよく用いられる。WDMアド・ドロップ装置はこうした光リングで用いられるネットワークエレメントである。アド・ドロップ装置を用いてトラフィックを１つの光リングから他の光リングに送ることができる。光トラフィックを１つのリングネットワークから他のリングネットワークに送る従来の方法には以下の方法がある。（１）光−電気−光（OEO）変換を実行し、光ファイバーを通して信号を第２のリングに送信し、第２のリングでまたOEO変換を実行する。（２）光−電気変換を実行し、電気的リンクを通して信号を第２のリングに送信し、第２のリングで電気−光変換を実行する。（３）１つのリングから光信号をドロップし、その信号を増幅して他のリングに送信する。これらの方法にはトランスポンダーやエルビウム添加ファイバーアンプ（EDFA）などの様々な装置が必要となる。
【発明の開示】
【発明が解決しようとする課題】
【０００４】
本発明は光トラフィックを伝送する従来のシステムと方法に関連する短所と問題の少なくとも一部を解消または削減する、光リング間でトラフィックを伝送するシステムと方法を提供する。
【課題を解決するための手段】
【０００５】
本発明の一実施形態によると、光ネットワークは第１の光リングと第２の光リングを有する。各光リングは、複数のサブバンドを有する光トラフィックを伝送するように動作する。前記第１の光リングは第１の相互接続ノードを有し、前記第１の相互接続ノードは前記第１の光リングの第１のサブバンドからトラフィックをフィルターし、前記第２の光リングに伝送するように動作する。前記第２の光リングは第２の相互接続ノードを有し、前記第２の相互接続ノードは前記第１のサブバンドからフィルターされた前記トラフィックを前記第１の相互接続ノードから受信し、前記第２の光リング内で伝送するように動作する。
【０００６】
前記第１の相互接続ノードは前記第１のサブバンド中のフィルターされた前記トラフィックを前記第２の相互接続ノードに、フィルターされた前記トラフィックを電気的に変換することなく伝送するように動作してもよい。前記第１の相互接続ノードは前記第１のサブバンド中のフィルターされた前記トラフィックを前記第２の相互接続に、フィルターされた前記トラフィックを増幅することなく伝送するように動作してもよい。前記第１の相互接続ノードは、前記第１のサブバンド中のトラフィックを前記第１の相互接続ノードを通過して前記第１の光リング上の通信から分離するように動作する、カスケードされた複数のサブバンドフィルターを有していてもよい。
【０００７】
本光ネットワークは、前記第２の光リングでの伝送の前に、前記第１のサブバンド中のフィルターされた前記トラフィックの個別チャネルを選択的に通過または破棄するように動作するデマックス・マックスモジュールをさらに有していてもよい。前記第２の相互接続ノードは、前記第１のサブバンド中のトラフィックを前記第２の光リングからフィルターし、前記第１の光リングに伝送するように動作してもよい。前記第１の相互接続ノードは、前記第１のサブバンド中のフィルターされた前記トラフィックを前記第２の相互接続ノードから受信し、前記第１の光リングで伝送するように動作してもよい。前記第２の相互接続ノードは、前記第１のサブバンド中のフィルターされた前記トラフィックを前記第１の相互接続ノードに、フィルターされた前記トラフィックを電気的に変換または増幅することなく伝送するように動作してもよい。
【０００８】
他の実施形態によると、光ネットワークは、第１の光リングと第２の光リングとを有する。各光リングは複数のサブバンドを有する光トラフィックを伝送するように動作する。前記第１の光リングは、第１のサブバンド中のトラフィックを前記第１の光リングから前記第２の光リングに選択的にスイッチするように動作する第１の相互接続ノードを有する。前記第２の光リングは、前記第１のサブバンド中のスイッチされた前記トラフィックを前記第１の光リングから受信し、前記第２の光リングで伝送するように動作する第２の相互接続ノードを有する。
【０００９】
前記第１の相互接続ノードは、前記第１のサブバンド中のスイッチされた前記トラフィックを前記第２の相互接続ノードに、フィルターされた前記トラフィックを電気的に変換することなく伝送するように動作してもよい。前記第１の相互接続ノードは、光トラフィックをサブバンドにデマルチプレックスするように動作するデマルチプレクサと、通信に第１の相互接続ノードを通過させるか、またはそれぞれのサブバンド中のトラフィックを前記第２の光リングにスイッチするようにそれぞれ動作する、複数のスイッチエレメントと、通過した各サブバンド中のトラフィックをマルチプレックスし、前記第１の相互接続ノードを介して伝送するように動作するマルチプレクサとを有してもよい。
【発明の効果】
【００１０】
本発明の実施形態の技術的利点によると、光ネットワークの相互接続ノードは、光トラフィックの電気的変換または増幅をすることなく複数の光リング間で光トラフィックを伝送することができる。光リング間で伝送するトラフィックを電気的に変換または増幅するために必要となることがあるトランスポンダーが必要なくなるので、光ネットワークのコストを下げることができる。また、すべてのトラフィックが光なので、電気的変換を必要としないので、フレキシビリティが高くなりプロトコルの制限が減少する。
【００１１】
当業者は、図面、詳細な説明、特許請求の範囲から本発明の利点を容易に理解できるであろう。さらに、具体的に有利な点を挙げたが、様々な実施形態には上記の利点をすべて有するもの、一部有するもの、全く有しないものもある。
【発明を実施するための最良の形態】
【００１２】
図１は、一実施形態による、光ネットワーク１０を示すブロック図である。本実施形態によると、ネットワーク１０は光リング１１と１３を含む。光リングには、単一の一方向性ファイバーまたは双方向性ファイバーが含まれてもよいし、複数の一方向性ファイバーまたは双方向性ファイバーが含まれてもよい。図示した実施形態では、光リング１１、１３はそれぞれ一組の一方向性ファイバーを含む。例えば、第１のファイバー１６と第２のファイバー１８のように、それぞれの反対方向のトラフィックを伝送する。ファイバー１６と１８は複数のノード１２、１４を接続している。ネットワーク１０は光ネットワークであり、多数の光チャネルが共通の経路を異なった波長・チャネルで伝送されている。ネットワーク１０は波長分割多重（WDM）、高密度波長分割多重（DWDM）等の好適なマルチチャネルネットワークである。ネットワーク１０は近距離の都市ネットワーク、長距離の都市間ネットワーク、その他の好適なネットワークまたはこれらの組み合わせであってもよい。実施形態において、ノード１２、１４は、１以上のサブバンドノード等のローカルノードやハブノードを含む。これらについては下で詳しく説明する。ネットワーク１０には６つのノード１２と２つのノード１４が示されている（各光リングに４つのノードずつ）。別の実施形態においては、ネットワーク１０には８以上または以下のノードが含まれていてもよい。
【００１３】
光ネットワーク１０のノード１４は相互接続ノードであり、光リング１１から光リング１３に、またはその逆方向に光トラフィックを伝送する。ノード１４はサブバンドノードまたはハブノード等であり、各ノードはそれぞれのリングで伝送されている光トラフィックの１以上のサブバンドを分離し、別の光リングに伝送するように構成されている。このような構成は、サブバンドフィルターやスイッチエレメントを有する分離・多重コンポーネント等の好適なエレメントを含んでいる。光ネットワーク１０においては、他のリングに伝送するために光リングから分離されたトラフィックを、再生成、電気的変換、増幅することなしに、光リング１１と１３の間でトラフィックを伝送することができる。従って、光ネットワークのコストを減らすことができる。再生成や増幅に必要となるトランスポンダーやアンプが必要なくなるからである。
【００１４】
図１を参照して、光情報信号がファイバー１６と１８を異なる方向に送信されている。オーディオ、ビデオ、テキスト、リアルタイム、非リアルタイム、その他のデータを符号化するために、光信号の少なくとも１つの特性が変調されている。変調は、位相シフトキーイング（PSK）、強度変調（IM）、その他の好適な方法に基づく。
【００１５】
図示した実施形態においては、ファイバー１６は時計回りのファイバーであり、トラフィックは時計回り方向に送信されている。ファイバー１８は反時計回りのファイバーであり、トラフィックは反時計回り方向に送信されている。ノード１２と１４はそれぞれ結合されたリングにトラフィックを受動的にアドドロップするようにそれぞれ動作可能である。特に、各ノード１２と１４は、ローカルのクライアントからトラフィックを受信し、結合されているリングにそのトラフィックをアドする。同時に、各ノード１２と１４は、ローカルクライアント向けに受信したトラフィックをドロップする。ノード１２と１４は、トラフィックをアドするとき、クライアントからのデータを結合し、リング１１と１３に送信する。トラフィックをドロップするとき、クライアントへのデータのチャネルをリングからドロップする。トラフィックはローカルクライアントが受信したときにドロップされてもよい。このように、トラフィックはドロップされた後もリングを回り続けていてもよい。ノード１２と１４は、トラフィックのチャネルスペーシングに係わらずリング１１と１３でトラフィックを伝送する。このように、ノード１２と１４のチャネルスペーシングは「フレキシブル」である。本発明の実施形態において、トラフィックは分離および・または結合によりリング１１と１３に受動的にアドおよび・またはドロップされる。伝送リングで多重化・デマルチプレックスしたり、リング内で信号を部分に分離したりすることはない。ここで、「受動的」とは、パワー、電気、可動部なしにチャネルをアドまたはドロップすることを意味する。能動的デバイスはパワー、電気、可動部を用いてその機能を実現するものである。
【００１６】
実施形態において、ネットワーク１０は光一方向性経路スイッチリング（OUPSR）ネットワークでもよい。OUPSRは、第１のノード１２または１４から第２のノード１２または１４に１つのリング１１または１３で送られたトラフィックがリングの両方のファイバー１６と１８を介して第１のノードから第２のノードに伝送されるネットワークである。第２のノードは、ビットエラーレート（BER）が低く、パワーレベルが高く、その他の適当な所望の特性を有する、リングからのトラフィックをローカルクライアントに転送するために、ファイバー１６と１８を介して到着するトラフィックを選択可能とするコンポーネントを含む。あるいは、上記のコンポーネントは、選択された１以上の動作特性のレベルよりトラフィックの特性が低くまたは高くなければ、指定されたファイバーからトラフィックを選択してもよい。このように２重の信号を使用することにより、リング１６と１８の一方にラインブレーク等の故障が発生したときに、ファイバー１６と１８の少なくとも一方を介して、第１のノード１２または１４から第２のノード１２または１４へトラフィックを伝送することができる。
【００１７】
図２は、一実施形態による、リング相互接続を示す図１の光ネットワークの一部を示す図である。リング１１と１３を伝送されるトラフィックのパワーレベルは一致する。図２には、リング１１と１３のファイバー１８に結合したノード１４ａと１４ｂのコンポーネントが示されている。ノード１４ａと１４ｂにはリング１１と１３のファイバー１６に結合したコンポーネント等のその他のコンポーネントを含んでもよい。本実施形態において、ノード１４ａと１４ｂはサブバンドノードを有する。各サブバンドノードは、光トラフィックのサブバンドがノードを通過するのをブロックまたはフィルターすることができる。サブバンドはネットワークの帯域幅の一部である。各サブバンドはトラフィックチャネルを伝送しないものもあるし、１つのトラフィックチャネルや複数のトラフィックチャネルを伝送するものもある。トラフィックチャネルはサブバンド内でフレキシブルにスペーシングされている。サブバンド内のトラフィックは、破棄されなければ、ネットワークの他のノード等のコンポーネントに伝達される。伝達されたトラフィックはネットワークの他のノードで破棄されることもある。サブバンドノードでサブバンドが破棄されることにより、ネットワーク上で伝達されるサブバンド中のトラフィックに干渉することなく、そのサブバンドのトラフィックをそのサブバンドノードでアド・ドロップすることができる。
【００１８】
ノード１４ａと１４ｂは、それぞれフィルターモジュール３４を含む。フィルターモジュール３４は、ノードを通過するトラフィックからサブバンドをフィルターする。フィルターされたトラフィックはネットワークの他のリングに伝達される。各フィルターモジュール３４は、トラフィックのサブバンドをフィルターするように動作する、カスケードされた１組のサブバンドフィルター３６を含む。本実施形態では、各フィルターモジュール３４では３つのサブバンドフィルター３６（フィルター３６ａ、３６ｂ、３６ｃ）がカスケードされている。しかし、実施形態によってはカスケードされたサブバンドフィルターは３つ以上でも以下でもよい。さらにまた、別の実施形態では、別のタイプのフィルターを含んでもよい。トラフィックは、実施されたフィルターの送信レンジ内であれば、フィルターを介して１つのリングから別のリングに伝送される。
【００１９】
図示した実施形態において、チャネルベースのデマックス・マックス（demux-mux）モジュール３８はリング１１と１３の間にある。デマックス・マックスモジュール３８によりトラフィックの特定のチャネルまたは波長はリング１１と１３の間を通過することができる。実施形態によっては光リングの間にあるチャネルベースのデマックス・マックスモジュール３８はなくてもよく、ノード１４でフィルターされたトラフィックのすべてのチャネルが別のリングに送られる。さらに、デマックス・マックスモジュール３８はノード１４ａと１４ｂの間に示されているが、別の実施形態ではデマックス・マックスモジュール３８はノードの一部であってもよい。
【００２０】
動作中には、リング１１のファイバー１８を通過するトラフィックはノード１４ａに入り、アンプ３９で増幅される。カプラー３１において、トラフィックは受動的にドロップされ、ローカルクライアントに使用される。トラフィックはフィルターモジュール３４ａに入り、サブバンドフィルター３６ａに入力される。サブバンドフィルター３６ａはトラフィックのサブバンドをフィルターする。フィルターされたサブバンドはチャネルベースのデマックス・マックスモジュール３８ａにリンク４１を介して伝送される。上で説明したように、実施形態によっては、チャネルベースのデマックス・マックスモジュール３８が含まれないこともある。デマックス・マックスモジュール３８ａを通過したトラフィックのチャネル（モジュールに入るトラフィックのすべてのチャネルを含んでもよい）は、ノード１４ｂのフィルターモジュール３４ｂまで通過する。
【００２１】
ノード１４ａのフィルターモジュール３４ａのサブバンドフィルター３６ａによりフィルターされなかったトラフィックは、サブバンドフィルター３６ｂにリンク４３を介して送信される。サブバンドフィルター３６ｂは、サブバンドフィルター３６ａでフィルターされたトラフィックのサブバンドと同じサブバンド中のトラフィックをフィルターする。サブバンドフィルター３６ｂによりフィルターされなかったトラフィックはサブバンドフィルター３６ｃに通過する。サブバンドフィルター３６ｃはサブバンドフィルター３６ａと３６ｂと同様のものである。３つのフィルターがカスケードされているので、フィルターされたトラフィックの分離率が高くなる（サブバンドのフィルターに１つや２つのフィルターを使っているだけでは、所望の分離率を達成することができないこともある）。例えば、単一のフィルターではサブバンドのトラフィックの９０％しかブロックできないが、複数のフィルターを組み合わせるとそのサブバンドのトラフィックの１００％近くをブロックできることがある。
【００２２】
サブバンドフィルター３６ｃにおいて、デマックス・マックスモジュール３８ｂを通過した、ノード１４ｂのフィルターモジュール３４ｂでフィルターされたサブバンド中のトラフィックは、ノード１４ａのフィルターモジュール３４ａを通過するトラフィックにアドされ、カプラー３３まで通過する。カプラー３３において、ローカルクライアントトラフィックがリング１１にアドされ、他のネットワークコンポーネントに送信される。
【００２３】
リング１３のファイバー１８を介して通過しノード１４ｂに入るトラフィックは、リング１１のファイバー１８を介して通過しノード１４ａに入る、上で説明したトラフィックと同様に処理される。ノード１４ｂに入るトラフィックはアンプ３９で増幅される。カプラー３１において、トラフィックは受動的にドロップされ、ローカルクライアントに使用される。トラフィックはフィルターモジュール３４ｂに入り、サブバンドフィルター３６ａに入力される。サブバンドフィルター３６ａはトラフィックのサブバンドをフィルターする。フィルターされたサブバンドは、チャネルベースのデマックス・マックスモジュール３８ａにリンク４５を介して伝送される。デマックス・マックスモジュール３８ｂを通過したトラフィックのチャネルは（モジュールに入るトラフィックのすべてのチャネルを含んでいてもよい）、ノード１４ａのフィルターモジュール３４ａを通り、上で説明したようにリング１１にアドされる。
【００２４】
フィルターモジュール３４ｂのサブバンドフィルター３６ａによりフィルターされたトラフィックは、サブバンドフィルター３６ｂにリンク４７を介して伝送される。サブバンドフィルター３６ｂは、フィルターモジュール３４ｂのサブバンドフィルター３６ａでフィルターされたトラフィックのサブバンドと同じサブバンド中のトラフィックをフィルターするフィルターである。サブバンドフィルター３６ｂによりフィルターされたトラフィックは、サブバンドフィルター３６ｃまで通過する。サブバンドフィルター３６ｃはサブバンドフィルター３６ａと３６ｂと同様である。
【００２５】
サブバンドフィルター３６ｃにおいて、ノード１４ａのフィルターモジュール３４ａでフィルターされた、デマックス・マックスモジュール３８ａを通過したサブバンド中のトラフィックは、ノード１４ｂのフィルターモジュール３４ｂを通過したトラフィックにアドされ、カプラー３３まで通過する。カプラー３３において、ローカルクライアントトラフィックはリング１３にアドされ、他のネットワークコンポーネントに伝送される。
【００２６】
それゆえ、図２に示した実施形態において、リング１１を介して伝送されノード１４ａに入るサブバンド（例えばサブバンドＡ）中のトラフィックは、リング１３に伝送するためフィルターモジュール３４ａでフィルターされる。リング１１を介して伝送されてノード１４ａに入るサブバンドＡ中のトラフィックは、ノード１４ａを通過してリング１１の他のコンポーネントに行く。リング１３を介して伝送されるサブバンドＡ中のトラフィックは、フィルターモジュール３４ｂでフィルターされ、リング１１に伝送される。リング１３を介して伝送されノード１４ｂにはいるサブバンドＡには含まれないトラフィックは、ノード１４ｂを通過し、リング１３の他のコンポーネントに行く。
【００２７】
このように、図示した実施形態によると、光学的に透過的な相互接続が提供され、リング間でトラフィックを伝送するのにフィルターしたトラフィックのＯＥＯ変換が必要なくなる。さらに、リング間の通信で、トラフィックを増幅する必要もない。従って、変換と増幅のための装置が必要なくなるので、コストを下げることができる。さらにまた、電気的変換が必要ないので、フレキシビリティが高くなる。すべてのトラフィックが光になり、プロトコル上の制限が小さくなるからである。
【００２８】
図３は、一実施形態による、別のタイプのリング相互接続を示す光ネットワーク４５の一部を示す図である。図示した光ネットワーク４５の一部は、光リング５１と５３を含む。光リング５１と５３はそれぞれファイバー５０に接続されている。光ネットワーク４５は図示していないコンポーネントを含んでもよい。例えば、リング５１と５３は、光トラフィックをファイバー５０とは反対の方向に搬送するファイバーをそれぞれ含んでいてもよい。
【００２９】
光リング５１はノード５４ａを含み、光リング５３はノード５４ｂを含む。本実施形態では、ノード５４ａはハブノードを有し、ノード５４ｂはサブバンドノードを有する。ハブノード５４ａはノードに入るトラフィックのサブバンドを選択的に通過させるか、またはブロックする。リング５１まで行かないブロックされたサブバンド中のトラフィックは、そのノードにおいて他のネットワークコンポーネントにドロップされる。通過した、またはブロックされたサブバンドはネットワークの動作中に動的に変化する。ハブノード５４ａはハブ部５５、アンプ５７、ドロップカプラー５９、アドカプラー６１を含む。ハブ部５５は、ノードに入るトラフィックのサブバンドを選択的に通過させ、またはドロップする。ハブ部５５はデマルチプレクサ５６、マルチプレクサ５８、スイッチエレメント６０を含む。実施形態において、デマルチプレクサ５６とマルチプレクサ５８は、配列された導波路またはファイバーブラッグ格子を有していてもよい。動作中に、ハブ部５５で受信したトラフィックは、デマルチプレクサ５６で構成サブバンドにデマルチプレクスされる。スイッチエレメント６０は、「通過」位置または「クロス」位置にそれぞれ設定される。通過位置では、スイッチエレメントは、デマルチプレクサ５６から受信したサブバンドをマルチプレクサー５８に転送する。クロス位置において、スイッチエレメントはリング５３に伝送すべき、デマルチプレクサ５６から受信したサブバンドをドロップし、リング５３からスイッチエレメントで受信したトラフィックはすべてリング５１にアドする。スイッチエレメント６０は２×２のスイッチとして示したが、他の実施形態においては、他の好適なスイッチや光クロス接続を用いてもよい。さらにまた、図示した実施形態においては、デマルチプレクサ５６は光トラフィックを８つのサブバンドにデマルチプレックスし、その８つのサブバンドは８つのスイッチエレメント６０にそれぞれ伝送される。しかし、別の実施形態においては、ハブ部は光トラフィックをいくつのチャネルまたはサブバンドにデマルチプレクスしてもよい。リング５１に行くスイッチエレメント６０からのトラフィックは、１つの光信号にマルチプレックスされ、ハブノード５４ａを介して伝送される。
【００３０】
上で示したように、光リングのノード５４ｂはサブバンドノードを有する。サブバンドノード５４ｂの構成と動作は、図２のサブバンドノード１４ａと１４ｂと同様である。サブバンドノード５４ｂは、フィルター６４ａ、６４ｂ、６４ｃがカスケードされたフィルターモジュール６２と、ドロップカプラー６６と、アドカプラー６８と、アンプ７０とを含む。任意的なチャネルベースのデマックス・マックスモジュール７２も示されている。デマックス・マックスモジュール７２の構成と機能は、図２のデマックス・マックスモジュール３８と同様である。
【００３１】
動作において、リング５１のファイバー５０を通過するトラフィックは、ノード５４ａに入り、アンプ５７で増幅される。カプラー５９でトラフィックが受動的にドロップされ、ローカルクライアントに使用される。トラフィックはハブ部５５に入り、上で説明したように、構成サブバンドにデマルチプレクスされる。トラフィックのサブバンドは選択的にスイッチエレメント６０でドロップされ、光リング５３に伝送される。図示した実施形態において、スイッチエレメント６０ｂはサブバンドＢをリンク７５にドロップし、リング５３に伝送するように構成されている。一方、スイッチエレメント６０ａ、６０ｃ−６０ｈはサブバンドＡ、Ｃ−Ｈをそれぞれマルチプレクサー５８に送るように構成されている。他のリンク７７はスイッチエレメント６０ｂに結合され、リング５３からのサブバンドＢ中のトラフィックをリング５１にアドする。スイッチエレメント６０ｂは、リンクに結合してトラフィックをリング５３に、またはリング５３から伝送するように示された唯一のスイッチである。一方、他のスイッチエレメントが上記目的のためにリンクに結合されていてもよい。これにより、ハブノード５４ａのハブ部５５は、リング５３にドロップする（およびアドする）サブバンドを動的に変更できる。たとえば、他の実施形態において、スイッチエレメント６０はサブバンドＡ中のデマルチプレックスされたトラフィックをリング５３にドロップし、他のすべてのデマルチプレックスされたサブバンドトラフィックがリング５１に行くように構成されてもよい。ハブ部５５を出るマルチプレックスされたトラフィックはアドカプラー６１に行き、アドされたローカルクライアントトラフィックと結合される。
【００３２】
ハブノード５４ａでドロップされた光トラフィックは、この場合サブバンドＢ中のトラフィックであるが、デマックス・マックスモジュール７２ｂに伝送され、そのトラフィックのチャネルは通過するかブロックされる。デマックス・マックスモジュール７２ｂを通過するトラフィックはサブバンドノード５４ｂのフィルターモジュール６２でリング５３にアドされる。
【００３３】
上で説明したように、サブバンドノード５４ｂは、図２のサブバンドノード１４ａ、１４ｂと同様に機能する。サブバンドノード５４ｂに入るトラフィックはアンプ７０で増幅され、カプラー６６に伝送される。カプラー６６はトラフィックをローカルクライアントにドロップする。トラフィックはフィルターモジュール６２に入り、そのフィルターモジュール６２はトラフィックのサブバンドをフィルターし、（任意的なデマックス・マックスモジュール７２ａを介して）リング５１に伝送する。リング５１に伝送するためにフィルターされるサブバンドは、ハブノード５４ａでリング５１からドロップされたのと同じサブバンドであり、この場合サブバンドＢである。デマックス・マックスモジュール７２ａを通過するフィルターされたサブバンドのチャネルは、スイッチエレメント６０ｂでリンク７７を介してリング５１にアドされる。
【００３４】
サブバンドフィルター６４ｃにおいて、デマックス・マックスモジュール７２ｂを通過した、ハブノード５４ａでドロップされたサブバンド中のトラフィックはフィルターモジュール６２を通過するトラフィックにアドされ、カプラー６８に送られる。カプラー６８において、ローカルクライアントトラフィックがリング５３にアドされ、他のネットワークコンポーネントに伝送される。
【００３５】
それゆえ、図３に示した実施形態においては、リング５１を介して伝送されハブノード５４ａに入るサブバンド（例えばサブバンドＢ）中のトラフィックは、ハブ部５５でドロップされ、リング５３に伝送される。リング５１を介して伝送されハブノード５４ａに入るサブバンドに含まれないトラフィックは、ノード５４ａを通過してリング５１の他のコンポーネントに行く。リング５３を介して伝送されるサブバンドＢ中のトラフィックは、サブバンドノード５４ｂのフィルターモジュール６２でフィルターされ、リング５１に伝送される。リング５３を介して伝送されサブバンドノード５４ｂに入るサブバンドＢに含まれないトラフィックは、ノード５４ｂを通過して、リング５３の他のコンポーネントに行く。それゆえ、図示した実施形態によると、ハブノードとサブバンドノード間の光学的に透過的なリング相互接続が提供され、リング間でトラフィックを伝送するのにＯＥＯ変換または増幅は必要ない。
【００３６】
図４は、一実施形態による、他のタイプのリング相互接続を示す光ネットワーク８０の一部分を示す図である。図示した光ネットワーク８０の一部分には光リング８１と８３が含まれており、その光リング８１と８３はそれぞれファイバー８２を有している。光ネットワーク８０は図示しない他のコンポーネントを含んでいてもよい。例えば、リング８１と８３は光トラフィックをファイバー８２とは逆の方向に伝送するファイバーを含む。
【００３７】
光リング８１はノード８４ａを含み、光リング８３はノード８４ｂを含む。本実施形態では、ノード８４ａとノード８４ｂは、図３のハブノード５４ａと同様のハブノードをそれぞれ有する。ハブノード８４ａは、ハブ部８６、アンプ９４、ドロップカプラー９６、アドカプラー９８を含む。ハブ部８６はノードに入るトラフィックのサブバンドを選択的に通過させ、またはドロップする。ハブ部８６は、デマルチプレクサ８８、マルチプレクサ９０、スイッチエレメント９２を有する。図示した実施形態において、スイッチエレメント９２ａはデマルチプレックスされたサブバンドＡ中のトラフィックをドロップし、リング８３に伝送するように設定されている。上記トラフィックはリンク９３沿いのスイッチエレメント９２ａからドロップされ、リング８３に伝送される。リング８３からのトラフィックは、リンク９５沿いのスイッチエレメント９２ａでリング８１にアドされる。
【００３８】
リング８３のハブノード８４ｂはハブ部１００、アンプ１０８、ドロップカプラー１１０、アドカプラー１１２を含む。ハブ部１００は、デマルチプレクサー１０２、マルチプレクサー１０４、スイッチエレメント１０６を含む。図示した実施形態において、スイッチエレメント１０６ａはデマルチプレックスされたサブバンドＡ中のトラフィックをドロップし、リング８１に伝送するように設定されている。上記のトラフィックはリンク９５沿いのスイッチエレメント１０６ａからドロップされ、リング８１に伝送される。リング８１からのトラフィックはスイッチエレメント１０６ａでリンク９３を介してリング８３にアドされる。
【００３９】
ハブノード８４ａと８４ｂはリング８１と８３の間でサブバンドＡ中のトラフィックを伝送するように示した。しかし、ハブノード８４ａと８４ｂは、図３のハブノード５４ｂに関して上で説明したように、リング間で伝送されるトラフィックのサブバンドを変更するように動的に変化させてもよい。
【００４０】
上に示した光ネットワーク８０のコンポーネントにより、電気的な変換や増幅がなくてもトラフィックがリング間で透過的に伝送するようにリング８１と８３の間を相互接続することが可能となる。チャネルベースのデマックス・マックスモジュールをリング８１と８３の間に入れるか、またはノード８４の一部として、リング間でサブバンドの特定のチャネルだけを選択的に通過させるようにしてもよい。これは図２と図３を参照して上で説明したとおりである。
【００４１】
図５は、一実施形態による、別のタイプのリング相互接続を示す光ネットワークの一部を示す図である。図示した光ネットワーク１２０の一部分には、３つのサブバンドノード１２２を介して相互接続されている３つの光リング１２１、１２３、１２５が含まれる。リング１２１はサブバンドノード１２２ａを含み、リング１２３はサブバンドノード１２２ｂを含み、リング１２５はサブバンドノード１２２ｃを含む。サブバンドノード１２２は各々同じサブバンド中のトラフィックをフィルターして他の光リングに伝送する。
【００４２】
サブバンドノード１２２の構成と機能は、図２に示したサブバンドノード１４と同様である。サブバンドノード１２２は、サブバンドをフィルターして他の光リングに伝送するための、３つのカスケードされたフィルターを有するハブ部１２４をそれぞれ有する。リング１２１のサブバンドノード１２２ａは、サブバンド中のトラフィックをフィルターしてリンク１３０を介してリング１２５に伝送する。リング１２３のサブバンドノード１２２ｂは、サブバンド中のトラフィックをフィルターしてリンク１３２を介してリング１２５に伝送する。リング１２５のサブバンドノード１２２ｃは、サブバンド中のトラフィックをフィルターして、リンク１３４を介してリング１２１に伝送する。図示したネットワーク１２０のコンポーネントにより、３つの光リングが光学的に透過的にリング相互接続される。上で説明したように、３つ以上の光リングを同様に接続してもよい。
【００４３】
本実施形態に関しては特に説明していないが、前述の実施形態について説明したように、チャネルベースのデマックス・マックスモジュールをリング間に配置して、１つのリングから他のリングへのチャネル内のトラフィックの伝送を制限してもよい。
【００４４】
上で説明したように、光ネットワーク１２０は、リング相互接続のために３つのサブバンドノード１２２を含んでいる。しかし、ノード１２２のうちの１つ、２つ、または全部のノード１２２を、図３のハブノード５４ａと同様のハブノードで置き換えてもよい。この場合、ネットワーク１２０は、２つのサブバンドノードと１つのハブノード、１つのサブバンドノードと２つのハブノード、または３つのハブノードを介して３つのリング間に光学的に透過的なリング相互接続を提供する。２つのリングの相互接続であって１つのリングのサブバンドノードと他のリングのハブノードを介したものは、図３を参照して説明した。また、２つのリングの相互接続であって２つのハブノードを介するものは図４を参照して説明した。本発明は光学的に透過的なリング相互接続を提供するものであるが、光リング間の数はいくつでもよく、サブバンドノードとハブノードの好適な組み合わせであればいかなる組み合わせでもよい。
【００４５】
図２、３、４、５を参照して説明したリング相互接続の実施形態は、１つのリングの１つのファイバー（反時計回り方向にトラフィックを伝送しているファイバー）と他のリングの１つのファイバー（反時計回り方向にトラフィックを伝送しているファイバー）の接続を示している。しかし、そのリングの他のファイバー（例えば、反対方向にトラフィックを伝送する他のファイバー）を同様に接続してもよい。
【００４６】
図６は、一実施形態による、光リング２０２と２０４を有する光ネットワーク２００を示す図である。各光リング２０２と２０４はOUPSRプロテクションのために反対方向に光トラフィックを伝送するファイバーを含む。光リング２０２はサブバンド２０６を含む。図示した実施形態において、サブバンドノード２０６ａはサブバンドＡ中のトラフィックをブロックするように動作可能である。サブバンドノード２０６ｂはサブバンドＢ中のトラフィックをブロックするように動作可能である。サブバンドノード２０６ｃはサブバンドＣ中のトラフィックをブロックするように動作可能である。サブバンドノード２０６ｄはサブバンドＤ中のトラフィックをブロックするように動作可能である。光リング２０４はサブバンドノード２０８を含む。図示した実施形態において、サブバンドノード２０８ａはサブバンドＡ中のトラフィックをブロックするように動作可能である。サブバンドノード２０８ｂはサブバンドＢ中のトラフィックをブロックするように動作可能である。サブバンドノード２０８ｃはサブバンドＣ中のトラフィックをブロックするように動作可能である。サブバンドノード２０８ｄはサブバンドＤ中のトラフィックをブロックするように動作可能である。サブバンドノード２０８ｅはサブバンドＥ中のトラフィックをブロックするように動作可能である。
【００４７】
光リング２０２は、光リング２０４のノード２０９と相互接続するノード２０７を含む。図示した実施形態において、ノード２０７と２０９はリング間のサブバンドＣ中のトラフィックを伝送することができる。ノード２０７と２０９は、図２のノード１４に関して説明したように、リング２０２と２０４の間でトラフィックを伝送するサブバンドＣフィルターモジュールを有するサブバンドノードを有する。または、図４のノード８４に関して説明したように、リング間で伝送するためのサブバンドＣ中のトラフィックをドロップするように構成されたスイッチエレメントを有するハブ部を有するハブノードを有する。一実施形態において、ノード２０７と２０９の一方はサブバンドノードを有し、他方はハブノードを有する。
【００４８】
図示した実施形態には、リング２０２のサブバンドノード２０６ｃでネットワークにアドされたサブバンドＣトラフィック２１１が示されている。トラフィック２１１ａはネットワークを一方向に伝送され、トラフィック２１１ｂは反対方向に伝送される。ノード２０７と２０９はリング間でサブバンドＣトラフィックを伝送するように構成されているので、トラフィック２１１はリング２０２と２０４の両方を回るものとして示されている。さらにまた、サブバンドＣ以外のサブバンド中のトラフィックはフィルターされないか、もしくは１つのリングから他のリングへ伝送するためドロップされる。このように、サブバンドＢにあってリング２０２のサブバンドノード２０６ｂでネットワークにアドされるトラフィック２１３は、リング２０２に留まり、リング２０４には伝送されない。また、サブバンドＢに含まれリング２０４のサブバンドノード２０８ｂでネットワークにアドされたトラフィック２１５はリング２０４に留まり、リング２０２には伝送されない。
【００４９】
このように、光ネットワーク２００は光学的に透過的なリング相互接続のもう１つの例を示すものである。上で説明したように、相互接続ノードはサブバンドノードまたはハブノードを有する。光トラフィックの一部はリング内のすべてのノードにブロードキャストされるイントラリングトラフィックを有し、その他の光トラフィックは両方のリングにブロードキャストされるインターリングトラフィックを有する。いずれの場合も、ファイバーが故障した場合でも光トラフィックはOUPSRプロテクションされている。
【００５０】
図７は、一実施形態による、光リング３０２、３０４、３０６を有する光ネットワーク３００を示す図である。光リング３０２、３０４、３０６はOUPSRプロテクションのために反対方向に光トラフィックを搬送するファイバーを含む。
【００５１】
光リング３０２はサブバンドノード３０８を含む。図示した実施形態において、サブバンドノード３０８ａはサブバンドＡ中のトラフィックをブロックするように動作可能である。サブバンドノード３０８ｂはサブバンドＢ中のトラフィックをブロックするように動作可能である。サブバンドノード３０８ｃはサブバンドＣ中のトラフィックをブロックするように動作可能である。光リング３０４はサブバンドノード３１４を含む。図示した実施形態において、サブバンドノード３１４ａはサブバンドＡ中のトラフィックをブロックするように動作可能である。サブバンドノード３１４ｃはサブバンドＣ中のトラフィックをブロックするように動作可能である。サブバンドノード３１４ｄはサブバンドＤ中のトラフィックをブロックするように動作可能である。サブバンドノード３１４ｅはサブバンドＥ中のトラフィックをブロックするように動作可能である。光リング３０６はサブバンドノード３１８を含む。図示した実施形態において、サブバンドノード３１８ａはサブバンドＡ中のトラフィックをブロックするように動作可能である。サブバンドノード３１８ｃはサブバンドＣ中のトラフィックをブロックするように動作可能である。サブバンドノード３１８ｄはサブバンドＤ中のトラフィックをブロックするように動作可能である。サブバンドノード３１８ｅはサブバンドＥ中のトラフィックをブロックするように動作可能である。
【００５２】
光リング３０２は、光リング３０４のノード３１６と相互接続するノード３１０と、光リング３０６のノード３２０と相互接続するノード３１２を含む。図示した実施形態において、ノード３１０、３１２、３１６、３２０はリング間でサブバンドＢ中のトラフィックを伝送可能である。ノード３１０、３１２、３１６、３２０は、図２のノード１４に関して説明したように、サブバンドＢフィルターモジュールを有するサブバンドノードを有し、リング３０２、３０４、３０６間でトラフィックを伝送する。あるいは、図４のノード８４に関して説明したように、サブバンドＢ中のトラフィックをドロップしリング間で伝送するように構成されたスイッチエレメントを有するハブ部を有するハブノードを有する。一実施形態において、ノード３１０、３１２、３１６、３２０の一部はサブバンドノードを有し、他のノードはハブノードを有する。
【００５３】
図示した実施形態はリング３０２のサブバンドノード３０８ｂでネットワークにアドされるサブバンドＢトラフィック３２１を示している。トラフィック３２１ａはネットワークを介して１方向に伝送され、トラフィック３２１ｂは逆方向に伝送される。ノード３１０、３１２、３１６、３２０はリング３０２、３０４、３０６間でサブバンドＢトラフィックを伝送するように構成されているので、トラフィック３２１は３つのリング３０２、３０４、３０６のすべてを回るように示した。また、サブバンドＢ以外のサブバンド中のトラフィックはフィルターされるか、もしくは１つのリングから他のリングに伝送するためドロップされる。このように、サブバンドＡに含まれリング３０２のサブバンドノード３０８ａでネットワークにアドされるトラフィック３２３は、リング３０２に留まりリング３０４にも３０６にも伝送されない。サブバンドＡに含まれリング３０４のサブバンドノード３１４ａでネットワークにアドされるトラフィック３２５は、リング３０４に留まりリング３０２にも３０６にも伝送されない。また、サブバンドＥに含まれリング３０６のサブバンドノード３１８ｅでネットワークにアドされるトラフィック３２７は、リング３０６に留まりリング３０２にも３０４にも伝送されない。
【００５４】
このように、光ネットワーク３００は３つの光リング間で光学的に透過的な相互接続リングの例を示す。上で説明したように、相互接続ノードはサブバンドノードまたはハブノードを有する。光トラフィックの一部はリングのすべてのノードにブロードキャストされるイントラリングトラフィックを有し、他の光トラフィックは両方のリングにブロードキャストされるインターリングトラフィックを有する。いずれの場合にも、光トラフィックはファイバーが故障した場合であってもOUPSRプロテクションプロテクションされている。
【００５５】
図８は、一実施形態による、カスケードされた光リング４０２、４０４、４０６、４０８を有する光ネットワーク４００を示す図である。各光リング４０２、４０４、４０６、４０８はOUPSRプロテクションのために反対方向に光トラフィックを搬送するファイバーを含む。
【００５６】
光リング４０２はリング相互接続のためのノード４１０とサブバンドノード４１１を含む。光リング４０４はリング相互接続のためのノード４１２とサブバンドノード４１３を含む。光リング４０６はリング相互接続のためのノード４１４とサブバンドノード４１５を含む。光リング４０８はリング相互接続のためのノード４１６とサブバンドノード４１７を含む。リング４０２、４０４、４０６、４０８それぞれのリング相互接続ノード４１０、４１２、４１４、４１６は、図２のノード１４に関して説明したようにサブバンドノードを有してもよいし、図４のノード８４に関して説明したようにハブノードを有していてもよい。
【００５７】
図示した実施形態は１つのリングから他のリングにネットワークを介して伝送されるサブバンドＢトラフィック４２０を示している。トラフィック４２０ａはリング４０２、４０４、４０６、４０８をこの順番に進む。トラフィック４２０ｂはリング４０８、４０６、４０４、４０２をこの順番に進む。相互接続ノード４１０、４１２、４１４、４１６はサブバンドＢトラフィックをフィルターするか、リング間で伝送するようにドロップする。図示した構成は波長多重サービスに適用してもよい。図示したように、カスケードされたリングの１つの端から他の端まででOUPSRプロテクションされたパイプを構築することができる。限定するものとしてはチルトや信号雑音比などの光学的な特性がある。必要に応じてシステム中で電気的再生を使用してもよい。
【００５８】
図示した実施形態に関して説明したように、本発明の実施形態により電気的再生と光学的増幅なしに光学的に透過的なリング相互接続を提供することができる。光学的に透過的なリング相互接続は選択された波長を透過的にトンネルして、リングを介して伝送させる。リング相互接続により、光リング間でトラフィックを伝送するために必要な装置のコストを削減することができる。一部の実施形態では、相互接続されたリングはオフィス間（IOF）リングやより小さいアクセスリングであってもよい。リングの相互接続は動的に制御されてもよい。例えば、管理者は、リングの相互接続にハブノードを使用するとき、ハブノードのスイッチエレメントを変更することにより伝送されるトラフィックのサブバンドを変更することができる。
【００５９】
光リングのサブノード間の透過的リング相互接続は図２のリング１１と１３の接続に関して上で説明したように実施することができる。光リングのサブノードとハブノードとの間の透過的リング相互接続は図３のリング５１と５３の接続に関して上で説明したように実施することができる。光リングのハブノード間の透過的リング相互接続は図４のリング８１と８３の接続に関して上で説明したように実施することができる。
【００６０】
図９は、本発明の一実施形態による、光リング間でトラフィックを伝送する方法を示すフローチャートである。この方法はステップ５００で始まり、光トラフィックが第１の光リングを介して伝送される。その光トラフィックは複数のサブバンドを含むトラフィックであってもよい。ステップ５０２において、複数のサブバンドのうち第１のサブバンド中のトラフィックが第１の光リングの第１の相互接続ノードで分離される。一実施形態において、上記分離にはカスケードされた複数のフィルターなどを用いて第１のサブバンド中のトラフィックをフィルターすることを含んでもよい。別の実施形態によると、上記分離には、第１の相互接続ノードで受信された光トラフィックをデマルチプレックスし、第１のサブバンド中のトラフィックを受信するスイッチモジュールを用いて第１のサブバンド中のトラフィックを選択的にドロップし、第１のサブバンドに含まれないデマルチプレックスされたトラフィックを通過させ、第１の相互接続ノードと第１の光リングを介してさらに伝送するために通過したトラフィックをマルチプレックスすることを含んでもよい。
【００６１】
ステップ５０４において、第１のサブバンド中の分離されたトラフィックが第２の光リングで受信される。別の実施形態において、第１のサブバンド中の分離されたトラフィックの個別のチャネルは、デマックス・マックス部で破棄され、第１のサブバンド中の分離されたトラフィックを受信することには、そのデマックス・マックス部で破棄されなかった、または通過したチャネルを受信することを含んでもよい。実施形態において、分離されたトラフィックは電気的に変換または増幅されることなく第２の光リングに伝送される。ステップ５０６において、第１のサブバンド中の分離されたトラフィックは第２の光リングを介して伝送される。第１の光リングから第２の光リングへのトラフィックの伝送に関して上で説明したのと同様に、第２の光リングから第１の光リングへ第１のサブバンド中のトラフィックが伝送されてもよい。
【００６２】
図９に示したステップは、適宜、結合されても修正されても削除されてもよく、フローチャートに新しいステップを追加してもよい。また、ステップは適当ないかなる順序で実行してもよい。
【００６３】
本発明を実施形態を参照して説明したが、本発明の精神と範囲から逸脱することなくこれらの実施形態にさまざまな変更、追加、改変を行うことができる。例えば、光ネットワーク、リング、サブバンドノード、ハブノード、フィルターモジュール、ハブ部に含まれる多数のエレメントを参照して本発明を説明したが、これらのエレメントは具体的な経路決定のアーキテクチャや必要性に対応するために、結合、再構成、配置してもよい。また、これらのエレメントは必要であれば互いに離れた外部コンポーネントとして提供されてもよい。本発明において、これらエレメントおよびその内部コンポーネントの構成はフレキシブルである。
【００６４】
当業者はその他の多数の変更、追加、変形、改変、修正を確かめることができるであろう。添付した特許請求の範囲の精神と範囲に入るような変更、追加、変形、改変、修正は本発明に含まれるものである。
【００６５】
なお、本発明の開示に関し以下を付記する。
（付記１）
光ネットワークであって、
複数のサブバンドを有する光トラフィックを伝送するようにそれぞれ動作する第１の光リングと第２の光リングとを有し、
前記第１の光リングは第１の相互接続ノードを有し、前記第１の相互接続ノードは前記第１の光リングの第１のサブバンドからトラフィックをフィルターし、前記第２の光リングに伝送するように動作し、
前記第２の光リングは第２の相互接続ノードを有し、前記第２の相互接続ノードは前記第１のサブバンドからフィルターされた前記トラフィックを前記第１の相互接続ノードから受信し、前記第２の光リング内で伝送するように動作することを特徴とする光ネットワーク。
（付記２）
付記１に記載の光ネットワークであって、前記第１の相互接続ノードは前記第１のサブバンド中のフィルターされた前記トラフィックを前記第２の相互接続ノードに、フィルターされた前記トラフィックを電気的に変換することなく伝送するように動作することを特徴とする光ネットワーク。
（付記３）
付記１に記載の光ネットワークであって、前記第１の相互接続ノードは前記第１のサブバンド中のフィルターされた前記トラフィックを前記第２の相互接続に、フィルターされた前記トラフィックを増幅することなく伝送するように動作することを特徴とする光ネットワーク。
（付記４）
付記１に記載の光ネットワークであって、前記第１の相互接続ノードは、前記第１のサブバンド中のトラフィックを前記第１の相互接続ノードを通過して前記第１の光リング上の伝送から分離するように動作する、カスケードされた複数のサブバンドフィルターを有することを特徴とする光ネットワーク。
（付記５）
付記１に記載の光ネットワークであって、前記第２の光リングでの伝送の前に、前記第１のサブバンド中のフィルターされた前記トラフィックの個別チャネルを選択的に通過させまたは破棄するように動作するデマックス・マックスモジュールをさらに有することを特徴とする光ネットワーク。
（付記６）
付記１に記載の光ネットワークであって、
前記第２の相互接続ノードは、前記第１のサブバンド中のトラフィックを前記第２の光リングからフィルターし、前記第１の光リングに伝送するように動作し、
前記第１の相互接続ノードは、前記第１のサブバンド中のフィルターされた前記トラフィックを前記第２の相互接続ノードから受信し、前記第１の光リングで伝送するように動作し、
前記第２の相互接続ノードは、前記第１のサブバンド中のフィルターされた前記トラフィックを前記第１の相互接続ノードに、フィルターされた前記トラフィックを電気的に変換または増幅することなく伝送するように動作することを特徴とする光ネットワーク。
（付記７）
付記１に記載の光ネットワークであって、
前記第２の相互接続ノードは、前記第２の光リングの前記第１のサブバンド中のトラフィックを前記第１の光リングに選択的にスイッチするように動作するハブノードを有し、
前記第１の相互接続ノードは前記第１のサブバンド中のスイッチされた前記トラフィックを前記第２の光リングから受信し、前記第１の光リングで伝送するように動作し、
前記第２の相互接続ノードは前記第１のサブバンド中のスイッチされた前記トラフィックを前記第１の相互接続ノードに、フィルターされた前記トラフィックを電気的に変換または増幅することなく伝送するように動作することを特徴とする光ネットワーク。
（付記８）
光ネットワークであって、
複数のサブバンドを有する光トラフィックを伝送するようにそれぞれ動作する第１の光リングと第２の光リングとを有し、
前記第１の光リングは、第１のサブバンド中のトラフィックを前記第１の光リングから前記第２の光リングに選択的にスイッチするように動作する第１の相互接続ノードを有し、
前記第２の光リングは、前記第１のサブバンド中のスイッチされた前記トラフィックを前記第１の光リングから受信し、前記第２の光リングで伝送するように動作する第２の相互接続ノードを有することを特徴とする光ネットワーク。
（付記９）
付記８に記載の光ネットワークであって、前記第１の相互接続ノードは、前記第１のサブバンド中のスイッチされた前記トラフィックを前記第２の相互接続ノードに、フィルターされた前記トラフィックを電気的に変換することなく伝送するように動作することを特徴とする光ネットワーク。
（付記１０）
付記８に記載の光ネットワークであって、前記第１のサブバンド中のスイッチされた前記トラフィックを前記第２の相互接続ノードに、フィルターされた前記トラフィックを増幅することなく伝送するように動作することを特徴とする光ネットワーク。
（付記１１）
付記８に記載の光ネットワークであって、前記第１の相互接続ノードは、
光トラフィックをサブバンドにデマルチプレックスするように動作するデマルチプレクサと、
通信に第１の相互接続ノードを通過させるか、またはそれぞれのサブバンド中のトラフィックを前記第２の光リングにスイッチするようにそれぞれ動作する、複数のスイッチエレメントと、
通過した各サブバンド中のトラフィックをマルチプレックスし、前記第１の相互接続ノードを介して伝送するように動作するマルチプレクサとを有することを特徴とする光ネットワーク。
（付記１２）
付記８に記載の光ネットワークであって、前記第２の光リングで伝送する前に前記第１のサブバンド中のスイッチされた前記トラフィックの個別のチャネルを選択的に通過または破棄させるように動作するデマックス・マックスモジュールをさらに有することを特徴とする光ネットワーク。
（付記１３）
付記８に記載の光ネットワークであって、
前記第２の相互接続ノードは、前記第１のサブバンド中のトラフィックを前記第２の光リングから前記第１の光リングに選択的にスイッチするように動作し、
前記第１の相互接続ノードは、前記第１のサブバンド中のスイッチされた前記トラフィックを前記第２の光リングから受信し、前記第１の光リングで伝送するように動作し、
前記第２の相互接続ノードは、前記第１のサブバンド中のスイッチされた前記トラフィックを前記第１の相互接続ノードに、フィルターされた前記トラフィックを電気的に変換または増幅することなく伝送するように動作することを特徴とする光ネットワーク。
（付記１４）
光リング間でトラフィックを伝送する方法であって、
複数のサブバンドを有する光トラフィックを第１の光リングを介して伝送するステップと、
第２の光リングに伝送するために、前記第１の光リングの第１の相互接続において、第１のサブバンド中のトラフィックを前記第１の光リングからフィルターするステップと、
前記第１の相互接続ノードから前記第１のサブバンド中のフィルターされた前記トラフィックを、前記第２の光リングの第２の相互接続ノードで受信し、前記第２の光リングで伝送するステップとを有することを特徴とする方法。
（付記１５）
付記１４に記載の方法であって、前記第１のサブバンド中のフィルターされた前記トラフィックは前記第２の相互接続ノードに、フィルターされた前記トラフィックを電気的に変換することなく伝送されることを特徴とする方法。
（付記１６）
付記１４に記載の方法であって、前記第１のサブバンド中のフィルターされた前記トラフィックは、増幅されることなく前記第２の相互接続ノードに伝送されることを特徴とする方法。
（付記１７）
付記１４に記載の方法であって、前記第１の相互接続ノードのカスケードされた複数のサブバンドノードにおいて、前記第１のサブバンド中のトラフィックを前記第１の相互接続ノードを介した前記第１の光リング上の伝送から分離するステップをさらに有することを特徴とする方法。
（付記１８）
付記１４に記載の方法であって、前記第２の光リングで伝送する前に前記第１のサブバンド中のフィルターされた前記トラフィックの個別のチャネルをデマックス・マックス部で選択的に通過または破棄するステップをさらに有することを特徴とする方法。
（付記１９）
付記１４に記載の方法であって、
前記第１の光リングに伝送するため、前記第２の光リングの第２の相互接続ノードで前記第２の光リングから前記第１のサブバンド中のトラフィックをフィルターするステップと、
前記第１の光リングで伝送するために前記第１の光リングの第１の相互接続ノードで前記第２の相互接続ノードから前記第１のサブバンド中のフィルターされた前記トラフィックを受信するステップとをさらに有し、
前記第１のサブバンド中のフィルターされた前記トラフィックは電気的に変換または増幅されることなく前記第１の相互接続ノードに伝送されることを特徴とする方法。
（付記２０）
付記１４に記載の方法であって、
前記第２の相互接続ノードにおいて前記第２の光リングから前記第１のサブバンド中のトラフィックを前記第１の光リングに選択的にスイッチするステップと、
前記第１の光リングで伝送するために前記第１の相互接続ノードで前記第２の光リングから前記第１のサブバンド中のスイッチされた前記トラフィックを受信するステップをさらに有し、
前記第１のサブバンド中のスイッチされた前記トラフィックは、フィルターされた前記トラフィックの電気的変換または増幅なく前記第１の相互接続ノードに伝送されることを特徴とする方法。
（付記２１）
光リング間でトラフィックを伝送する方法であって、
複数のサブバンドを有する光トラフィックを第１の光リングを介して伝送するステップと、
前記第１の光リングの第１の相互接続ノードで前記第１の光リングからの第１のサブバンド中のトラフィックを、第２の光リングに伝送するために選択的にスイッチするステップと、
前記第２の光リングに伝送するために前記第２の光リングの第２の相互接続ノードで前記第１の相互接続ノードからの前記第１のサブバンド中のスイッチされた前記トラフィックを受信するステップとを有することを特徴とする方法。
（付記２２）
付記２１に記載の方法であって、前記第１のサブバンド中のスイッチされた前記トラフィックは、フィルターされた前記トラフィックの電気的変換なしに前記第２の相互接続ノードに伝送されることを特徴とする方法。
（付記２３）
付記２１に記載の方法であって、前記第１のサブバンド中のスイッチされた前記トラフィックは、フィルターされた前記トラフィックを増幅することなしに前記第２の相互接続ノードに伝送されることを特徴とする方法。
（付記２４）
付記２１に記載の方法であって、
前記第１の相互接続ノードで受信したトラフィックを構成サブバンドにデマルチプレックスするステップと、
サブバンドをそれぞれ通過またはスイッチする複数のスイッチエレメントにおいて前記複数のサブバンド中のトラフィックを前記第１の相互接続ノードを通過させるか、または前記第２の光リングにスイッチするステップと、
通過した各サブバンド中のトラフィックをマルチプレックスして前記第１の相互接続ノードを介して伝送するステップとをさらに有することを特徴とする方法。
（付記２５）
付記２１に記載の方法であって、前記第２の光リングに伝送する前に前記第１のサブバンド中のスイッチされた前記トラフィックの個別のチャネルをデマックス・マックス部で選択的に通過させる、または破棄するステップを有することを特徴とする方法。
（付記２６）
付記２１に記載の方法であって、
前記第２の光リングの第２の相互接続ノードにおいて前記第２の光リングから前記第１のサブバンド中のトラフィックを、前記第１の光リングに伝送するために選択的にスイッチするステップと、
前記第１の光リングの第１の相互接続ノードにおいて前記第２の相互接続ノードからの前記第１のサブバンド中のスイッチされた前記トラフィックを受信して前記第１の光リングに伝送するステップとをさらに有し、
前記第１のサブバンド中のスイッチされた前記トラフィックはフィルターされた前記トラフィックの電気的変換または増幅なしに前記第１の相互接続ノードに伝送されることを特徴とする方法。
（付記２７）
光ネットワークであって、
第１の光リング、第２の光リング、第３の光リングを有し、各光リングは複数のサブバンドを有する光トラフィックを伝送するように動作可能であり、
前記第１の光リングは
前記第１の光リングからの第１のサブバンド中のトラフィックをフィルターして前記第２の光リングに伝送するように動作可能な第１のサブバンド相互接続ノードと、
前記第１の光リングからの前記第１のサブバンド中のトラフィックをフィルターして前記第３の光リングに伝送するように動作可能な第２のサブバンド相互接続ノードとを有し、
前記第２の光リングは第３のサブバンド相互接続ノードとを有し、前記第３のサブバンド相互接続ノードは前記第１のサブバンド相互接続ノードからの前記第１のサブバンド中のフィルターされたトラフィックを受信して前記第２の光リングに伝送するように動作可能であり、
前記第３の光リングは第４のサブバンド相互接続ノードとを有し、前記第４のサブバンド相互接続ノードは前記第２のサブバンド相互接続ノードからの前記第１のサブバンド中のフィルターされたトラフィックを受信して前記第３の光リングに伝送するように動作可能であり、
前記第１のサブバンド相互接続ノードはフィルターされた前記トラフィックを電気的に変換または増幅することなく前記第３の相互接続ノードに前記第１のサブバンド中のフィルターされた前記トラフィックを伝送するように動作可能であり、
前記第２のサブバンド相互接続ノードはフィルターされた前記トラフィックを電気的に変換または増幅することなく前記第４の相互接続ノードに前記第１のサブバンド中のフィルターされた前記トラフィックを伝送するように動作可能であることを特徴とする光ネットワーク。
（付記２８）
付記２７に記載の光ネットワークであって、前記第１と第２のサブバンド相互接続ノードはカスケードされた複数のサブバンドフィルターをそれぞれ有し、前記複数のサブバンドフィルターは前記第１のサブバンド中の受信したトラフィックを、前記第１と第２のサブバンド相互接続ノードを介する前記第１の光リングの継続する伝送から分離するように動作可能であることを特徴とする光ネットワーク。
【図面の簡単な説明】
【００６６】
【図１】本発明の一実施形態による光ネットワークを示すブロック図である。
【図２】一実施形態による、リング相互接続を示す図１の光ネットワークの一部を示す図である。
【図３】一実施形態による、別のリング相互接続を示す光ネットワークの一部を示す図である。
【図４】一実施形態による、別のリング相互接続を示す光ネットワークの一部を示す図である。
【図５】一実施形態による、別のリング相互接続を示す光ネットワークの一部を示す図である。
【図６】一実施形態による、２つの光リングが相互接続された光ネットワークを示す図である。
【図７】一実施形態による、３つの光リングが相互接続された光ネットワークを示す図である。
【図８】一実施形態による、光リングがカスケードされ相互接続された光ネットワークを示す図である。
【図９】本発明の一実施形態による、光リング間でトラフィックをやりとりする方法を示す図である。
【符号の説明】
【００６７】
１０  光ネットワーク
１１、１３  光リング
１２、１４  ノード
１６、１８  ファイバー
３１、３３  カプラー
３４  フィルターモジュール
３６  サブバンドフィルター
３８  デマックス・マックスモジュール
３９  アンプ
４３、４５  リンク
５０  ファイバー
５１、５３  光リング
５４ａ  ハブノード
５４ｂ  サブバンドノード
５５  ハブ部
５６  デマルチプレクサ
５７  アンプ
５８  マルチプレクサ
５９  ドロップカプラー
６０  スイッチエレメント
６１  アドカプラー
６２  フィルターモジュール
６４  フィルター
６６  ドロップカプラー
６８  アドカプラー
７０  アンプ
８０  光ネットワーク
８１、８３  光リング
８２  ファイバー
８４  ハブノード
８６、１００  ハブ部
８８、１０２  デマルチプレクサ
９０、１０４  マルチプレクサ
９２、１０６  スイッチエレメント
９３、９５  リンク
９４、１０８  アンプ
９６、１１０  ドロップカプラー
９８、１１２  アドカプラー
１２１、１２３、１２５  光リング
１２２  サブバンドノード
１２４  ハブ部
１３０、１３２、１３４  リンク
２０２、２０４  光リング
２０６  サブバンドノード
２０７  ノード
２０８  サブバンドノード
２０９  ノード
２１１、２１３、２１５  トラフィック
３０２、３０４、３０６  光リング
３０８、３１４、３１８  サブバンドノード
３１０、３１２、３１６、３２０  ノード
３２１、３２３、３２５、３２７  トラフィック
４０２、４０４、４０６、４０８  光リング
４１０、４１２、４１４、４１６  ノード
４１１、４１３、４１５、４１７  サブバンドノード
４２０  トラフィック
【図１】
2005253084.tif 000003
【図２】
2005253084.tif 000004
【図３】
2005253084.tif 000005
【図４】
2005253084.tif 000006
【図５】
2005253084.tif 000007
【図６】
2005253084.tif 000008
【図７】
2005253084.tif 000009
【図８】
2005253084.tif 000010
【図９】
2005253084.tif 000011